(57)【要約】【課題】土壌に含まれる交換性カリウム量を簡便にかつ高い精度で測定することができる方法を提供する。【解決手段】土壌に含まれる交換性カリウム量を、カリウムイオン選択性電極を用いて測定する方法であって、酢酸アンモニウムを０．００３〜０．１Ｍ含有する抽剤を用いて、土壌から交換性カリウムイオンを抽出する抽出工程を有するようにした。【選択図】図４
2014169901.tif 000002
【特許請求の範囲】
【請求項１】
土壌に含まれる交換性カリウム量を、カリウムイオン選択性電極を用いて測定する方法であって、
酢酸アンモニウムを０．００３〜０．１Ｍ含有する抽剤を用いて、土壌から交換性カリウムイオンを抽出する抽出工程を有することを特徴とする交換性カリウムの測定方法。
【請求項２】
前記抽剤の酢酸アンモニウム濃度が０．００５〜０．１Ｍである請求項１記載の交換性カリウムの測定方法。
【請求項３】
酢酸アンモニウムを含有する標準液を用いて前記カリウムイオン選択性電極を校正する校正工程を有する請求項１又は２記載の交換性カリウムの測定方法。
【請求項４】
請求項３記載の交換性カリウムの測定方法に用いる試薬セットであって、
互いに酢酸アンモニウムを含有する前記抽剤と前記標準液とを含むことを特徴とする試薬セット。
【発明の詳細な説明】
【技術分野】
【０００１】
この発明は、土壌に含まれる交換性カリウム量を測定する方法に関するものである。
【背景技術】
【０００２】
カリウムイオンは植物にとって重要な主要栄養元素の一つであり、現代の農業においては、肥料としてカリウム化合物を人工的に土壌に補給している。また、近時、放射性セシウムによる土壌汚染が問題となっているが、多量のカリウムを土壌中に添加することにより、植物による放射性セシウムの吸収を防ぐことが検討されている。
【０００３】
土壌に含まれる交換性カリウム量を測定するには、従来は、１Ｍ酢酸アンモニウム水溶液を抽剤として用いてイオン交換法により土壌から交換性カリウムを抽出した後、得られた抽出液を試料として用いて、原子吸光分光光度計（ＡＡ）、高周波誘導結合プラズマ発光分析装置（ＩＣＰ）、炎光光度計等を用いた慣行法により測定が行われている（非特許文献１〜３）。
【先行技術文献】
【特許文献】
【０００４】
【特許文献１】特開昭５３−４１２９０号公報
【非特許文献】
【０００５】
【非特許文献１】「土壌環境分析法」１９９７年６月１７日発刊、株式会社博友社発行、土壌環境分析法編集委員会編
【非特許文献２】「土壌機能モニタリング調査のための土壌、水質及び植物体分析法」平成１３年３月発刊、財団法人日本土壌協会発行
【非特許文献３】「土壌・植生モニタリング手引書」平成１５年３月、環境省地球環境局環境保全対策課  （財）日本環境衛生センター酸性雨研究センター
【発明の概要】
【発明が解決しようとする課題】
【０００６】
しかしながら、これらの装置は高価であり、一般農家が日常的に使用することは難しい。このため、より簡便に土壌に含まれる交換性カリウム量を測定する方法が求められている。
【０００７】
ところが、土壌に含まれる交換性カリウムを、１Ｍ酢酸アンモニウム水溶液を用いて抽出した抽出液を試料として、イオンクロマトグラフィーやイオン電極法によりカリウムイオン濃度を測定しようとすると、抽出液中に大量に存在するアンモニウムイオンの共存影響を受けて正確な測定が阻害されるという問題がある（特許文献１）。
【０００８】
そこで本発明は、土壌に含まれる交換性カリウム量を簡便にかつ高い精度で測定することができる方法を提供すべく図ったものである。
【課題を解決するための手段】
【０００９】
すなわち本発明に係る交換性カリウムの測定方法は、土壌に含まれる交換性カリウム量を、カリウムイオン選択性電極を用いて測定する方法であって、酢酸アンモニウムを０．００３〜０．１Ｍ含有する抽剤を用いて、土壌から交換性カリウムイオンを抽出する抽出工程を有することを特徴とする。
【００１０】
上述のとおり、ＩＣＰ等を用いて土壌に含まれる交換性カリウム量を測定する場合は、１Ｍ酢酸アンモニウム水溶液を抽剤として用いてイオン交換法により土壌から交換性カリウムイオンを抽出しているが、従来は、１Ｍより低濃度の酢酸アンモニウム水溶液によって土壌から交換性カリウムイオンを抽出することが可能であるとは考えられておらず、検討さえなされていなかった。
【００１１】
ところが、本発明らが、鋭意検討したところ、これまでの常識に反して、例えば、酢酸アンモニウム濃度が１×１０−１Ｍオーダーの抽剤を用いた場合は、略１０割の交換性カリウムイオンを抽出することが可能であり、酢酸アンモニウム濃度が１×１０−３Ｍオーダーのより低濃度の抽剤を用いた場合であっても、７割前後の交換性カリウムイオンを抽出することが可能であることがわかった。
【００１２】
また、酢酸アンモニウム濃度が１×１０−３Ｍオーダーの抽剤で抽出した抽出液を試料として、イオン電極法によりカリウムイオン濃度を測定したところ、当該測定値がＩＣＰを用いて測定した測定値と高い相関性を示すことも判明した。
【００１３】
前記抽剤の酢酸アンモニウム濃度は、好ましくは０．００５〜０．１Ｍであり、より好ましくは０．００５〜０．０５Ｍであり、更に好ましくは０．００５〜０．０１Ｍである。
【００１４】
本発明においてカリウムイオン選択性電極を校正するときは、酢酸アンモニウムを含有する標準液を用いることが好ましい。このような標準液を用いて校正を行うことにより、イオン強度の違いによる影響や、抽出液中に含まれるアンモニウムイオンが測定結果に与える妨害イオンとしての影響を減らすことができる。前記標準液への酢酸アンモニウムの添加量としては特に限定されず、抽剤より低濃度であってもアンモニウムイオンが測定結果に与える影響をある程度は減らすことができるが、抽剤と標準液との酢酸アンモニウム濃度が等しければ、アンモニウムイオンが測定結果に与える影響をより減らすことができる。特に、酢酸アンモニウム濃度が０．０５Ｍを超える抽剤を用いて抽出処理を行う場合は、校正に用いる標準液にも前記抽剤と等濃度となるように酢酸アンモニウムを添加しておくと有効である。
【００１５】
本発明に係る交換性カリウムの測定方法に用いる試薬セットであって、互いに酢酸アンモニウムを含有する前記抽剤と前記標準液とを含む試薬セットもまた、本発明の一つである。
【発明の効果】
【００１６】
このように構成された本発明によれば、土壌に含まれる交換性カリウム量を簡便にかつ高い精度で測定することができる。
【図面の簡単な説明】
【００１７】
【図１】本発明の一実施形態で用いるカリウムイオン計の構造を示す分解斜視図。
【図２】同実施形態における平面センサの構成を示す縦断面図。
【図３】同実施形態における平面センサの要部を示す分解斜視図。
【図４】本実施形態に係る交換性カリウムの測定方法を示すフローチャート。
【図５】０．００５Ｍ酢酸アンモニウム水溶液を用いて抽出処理を行ったときのＩＣＰによる測定値とイオン電極法による測定値との相関を示すグラフ。
【図６】０．０１Ｍ酢酸アンモニウム水溶液を用いて抽出処理を行ったときのＩＣＰによる測定値とイオン電極法による測定値との相関を示すグラフ。
【図７】１Ｍ酢酸アンモニウム水溶液を用いて抽出処理を行ったときのＩＣＰによる測定値と、０．００５Ｍ酢酸アンモニウム水溶液を用いて抽出処理を行ったときのイオン電極法による測定値との相関を示すグラフ。
【図８】１Ｍ酢酸アンモニウム水溶液を用いて抽出処理を行ったときのＩＣＰによる測定値と、０．０１Ｍの酢酸アンモニウム水溶液を用いて抽出処理を行ったときのイオン電極法による測定値との相関を示すグラフ。
【図９】表３に示す抽出率（平均値）のグラフ。
【発明を実施するための形態】
【００１８】
以下に本発明に係る交換性カリウムの測定方法の一実施形態について図面を参照して説明する。
【００１９】
まず、本実施形態で用いるカリウムイオン計１について説明する。本実施形態で用いるカリウムイオン計１は、液膜型のカリウムイオン感応膜１５を備えたカリウムイオン選択性電極７１と比較電極７２とが一体となった複合型のものである。
【００２０】
より詳細には、カリウムイオン計１は、図１〜３に示すように、合成樹脂製の本体２と、本体２に内蔵されたマイクロコンピュータ等の演算処理部（図示しない。）と、本体２の上面に形成された表示・操作部３と、表示・操作部３に隣接して形成された電源部４と、合成樹脂からなると共に防水構造に形成された電極部５とを備えている。
【００２１】
本体２内には、後述する平面センサ７のリード部２１Ａ、２２Ａ、２３Ａ、２４Ａと、演算処理部を有する回路基板６２との接続部６３が設けられている。なお、回路基板６２は筐体に繋がって支持されている。
【００２２】
表示・操作部３は、表示部３１と、パワーボタン３２ａ、校正ボタン３２ｂ、測定ボタン（モード切り替えボタン）３２ｃ等の各種の操作ボタンを有する操作部３２とからなり、電源部４は、ボタン電池４１、４２を備えている。
【００２３】
電極部５は、一端側が電源部４を収容できるように開口した筒状部６と、筒状部６の他端側に連設された平面センサ７とからなり、電源部４を覆うように本体２に装着して本体２と一体的に接続したり、本体２から分離したりできるように構成してある。
【００２４】
平面センサ７は、図２及び図３に示すように、例えば、ポリエチレンテレフタレート等の電気絶縁性を有する材料からなり、互いに積層された基板１１、１２、１３を備えている。各基板１１、１２、１３の一部は円弧状に形成してあり、最上層の第３基板１３と中層の第２基板１２とは平面形状（外形）が同一で、下層の第１基板１１は基板１２、１３とは円弧状部分は同形であるが、その反対側はこれらよりもやや長くしてある。また、第３基板１３の周縁を囲むように、試料ホルダ７３が設けられている。試料ホルダ７３には、外部からの紫外線がカリウムイオン感応膜１５を透過し内部極２５に照射されて、電位の変動が生じるのを防ぐために開閉可能な遮光蓋７４が設けられている。遮光蓋７４にはスライド可能なキャップ７５が更に設けられており、遮光蓋７４を閉じたまま、カリウムイオン感応膜１５上に試料を供給できるように構成してある。
【００２５】
第１基板１１には、その上面に所定の前処理を施した後、例えばＡｇペーストをシルクスクリーン印刷等することにより導電部２１、２２、２３、２４が形成してあると共に、円形の貫通孔８１が形成されている。そして、導電部２１、２２、２３、２４のうち、一方の外側の導電部２１の先端はＡｇＣｌで被覆され、カリウムイオン選択性電極７１の円形の内部極２５が形成されている。また、他方の外側の導電部２４の先端もＡｇＣｌで被覆され、基板１１の一方の側端部に位置する細長い形状の比較電極７２の内部極２６が形成されている。更に、内側の二つの導電部２２、２３の先端にわたってサーミスタ等の温度補償素子２７が設けられている。そして、各導電部２１、２２、２３、２４の他の部分はそのままリード部２１Ａ、２２Ａ、２３Ａ、２４Ａを構成している。
【００２６】
第２基板１２には、貫通孔８１に対応する位置に形成されたこれと同径の貫通孔８２と、内部極２５に対応する位置に形成された、これらよりやや大径の貫通孔８３と、温度補償素子２７に対応する位置に形成された、これとほぼ同寸の矩形状の貫通孔８４とが、それぞれ設けられている。更に、比較電極の内部極２６に対応する側端部に細長い切欠き部８５が形成してある。
【００２７】
第３基板１３には、貫通孔８１、８２に対応する位置にこれと同径の貫通孔８６と、貫通孔８３に対応する位置に形成された、これらよりやや大径の貫通孔８７と、貫通孔８４に対応する位置に形成された、これと同寸の貫通孔８８とが、それぞれ設けられている。更に、切欠き部８５に対応する位置にこれと同寸の切欠き部８９が形成してある。
【００２８】
基板１１、１２、１３のそれぞれ対応する位置に形成された貫通孔８１、８２、８６には、これらを挿通するようにポリエチレン製の多孔体からなる比較電極７２の液絡部１６が装填されている。当該液絡部１６は、最上層の第３基板１３の上面とほぼ面一になるようにして装填してある。
【００２９】
第２基板１２に形成された貫通孔８３内には、ゲル状内部液１４ａが装填されている。当該ゲル状内部液１４ａは、ＣａＣｌ２を含むｐＨ緩衝液にカリウムイオンを加えてなる内部液に、更にゲル化剤とゲル蒸発防止剤とを添加して円盤状に形成してものである。なお、内部液のＣｌ−濃度は０．１Ｍ〜飽和濃度に調整してある。これらのゲル状内部液１４ａは、その上面が第２基板１２の上面よりやや突出した状態で貫通孔８３内に装填されており、この貫通孔８３を介して第１基板１１の上面に形成された内部極２５と接触している。
【００３０】
第３基板１３に形成された貫通孔８７内には、円盤状に形成されたカリウムイオン感応膜１５が装填されており、ゲル状内部液１４ａに接触すると共に、第３基板１３の上面とほぼ面一になるように固定してある。
【００３１】
カリウムイオン感応膜１５は、ポリ塩化ビニル（ＰＶＣ）に可塑剤とカリウムイオノフォアとを加えた後、テトラヒドロフラン（ＴＨＦ）等の有機溶媒で溶解したものを、ポッティングやインクジェット印刷法等によって、貫通孔８７内に充填し、その後、加熱して有機溶媒を蒸発させて固体状のカリウムイオン感応膜１５に形成したものである。
【００３２】
比較電極７２のゲル状内部液１４ｂは、筒状部６に連設されたケース６１において最下層の第１基板１１の下方から最上層の第３基板１３の上方にわたって設けられている。ゲル状内部液１４ｂの上部及び下部は、基板１１〜１３の比較電極７２の内部極２６側の側部とケース６１との間の隙間を介して互いに連通するように装填されており、比較電極７２の内部極２６の表面及び液絡部１６の下端部と接触している。比較電極７２のゲル状内部液１４ｂは、０．１Ｍ〜飽和濃度のＮＨ４Ｃｌ水溶液からなる内部液にゲル化剤とゲル蒸発防止剤とを添加したものである。
【００３３】
次に、本実施形態に係る交換性カリウムの測定方法について、図４のフローチャートを参照しながら説明する。
【００３４】
１．抽出工程（ステップＳ１）
まず、測定対象である土壌を風乾し、必要に応じて乳鉢ですりつぶし、ふるいにかけておく（ステップＳ１１）。次いで、得られた風乾細土と、酢酸アンモニウム濃度が０．００３〜０．１Ｍである抽剤とを、当該風乾細土１ｇに対し抽剤２０ｍＬの割合で振盪瓶に入れ（ステップＳ１２）、これを振盪器で振盪して交換性カリウムイオンを抽出する（ステップＳ１３）。抽出後、濾紙により濾過することで土壌を除去して抽出液を得る（ステップＳ１４）。なお、本抽出工程は、抽剤の酢酸アンモニウム濃度が異なること以外は、基本的に慣行法と同様に行えばよい。
【００３５】
２．校正工程（ステップＳ２）
標準液として、抽出工程に用いた抽剤と当濃度の酢酸アンモニウムを含有し、カリウムイオン濃度が異なる高濃度及び低濃度の２種類のＫＣｌ水溶液を用意して（ステップＳ２１〜２３）、カリウムイオン計１の校正を行う（ステップＳ２４）。当該校正は、１種類の標準液を用いて行ってもよいが、２種類の標準液を用いて校正を行った方がより精度よく測定することができる。低濃度側の標準液で校正を行う際は、実測値を予め測定しておいた抽出割合で除した値が、測定結果としてカリウムイオン計１の表示部３１に表示されるように調整する（ステップＳ２５）。具体的には、例えば、土壌からの交換性カリウムイオンの抽出率が８０％となる酢酸アンモニウム濃度の抽剤を用いて抽出処理を行った場合であって、低濃度側の標準液として１２０ｐｐｍのＫＣｌ水溶液を用いて校正を行ったときは、校正時の表示部３１には「１２０ｐｐｍ」と表示させるともに、測定時には、実測値に０．８を掛けた値が表示部３１に表示されるように調整する。又は、校正時の表示部３１に標準液のＫＣｌ濃度が１５０ｐｐｍ（１２０／０．８＝１５０）と表示されるようにしてもよい。また、校正に用いる標準液のＫＣｌ濃度をより測定レンジに近づければ、より精度よく測定することができる。
【００３６】
３．測定工程（ステップＳ３）
抽出工程で得られた抽出液を試料として用いて、カリウムイオン計１のカリウムイオン感応膜１５上に適量の試料を供給する（ステップＳ３１）。すると、カリウムイオン感応膜１５に、ゲル状内部液１４ａと試料とのカリウムイオン濃度の差に応じた起電力が生じる。この起電力を、カリウムイオン選択性電極７１の内部極２５と、比較電極７２の内部極２６の電位差（電圧）として検出し、次いで、当該電位差から演算処理部によりカリウムイオン濃度を算出して、表示部３１に表示する（ステップＳ３２）。更に必要に応じて、得られたカリウムイオン濃度をＫ２Ｏｍｇ／１００ｇ土に換算してもよい（ステップＳ３３）。
【００３７】
このように構成した本実施形態に係る交換性カリウムの測定方法によれば、コンパクトなカリウムイオン計１を用いてイオン電極法により測定を行うことができるので、一般農家であっても簡便に正確な測定を行うことができる。
【００３８】
また、カリウムイオン計１の校正に用いる標準液の酢酸アンモニウム濃度と、抽出処理に用いる抽剤の酢酸アンモニウム濃度とが等しいので、抽出液中に含まれるアンモニウムイオンが測定結果に与える影響を減らすことができる。なお、前記標準液の酢酸アンモニウム濃度が抽剤より低くても、アンモニウムイオンが測定結果に与える影響をある程度減らすことができる。
【００３９】
なお、本発明は前記実施形態に限られるものではない。
【００４０】
例えば、抽出処理に用いる抽剤の酢酸アンモニウム濃度が０．０５Ｍ以下である場合は、アンモニウムイオンが測定結果に及ぼす影響が少ないので、カリウムイオン計１の校正に用いる標準液に酢酸アンモニウムを添加しなくてもよい。すなわち、この場合は、図４のフローチャートにおけるステップＳ２１は不要である。
【００４１】
また、土壌に含まれる交換性カリウムを酢酸アンモニウム濃度が０．１Ｍ以下である低濃度の抽剤を用いて抽出し、得られた抽出液のカリウムイオン濃度をイオン電極法を用いて測定して得られた値を、慣行法（１Ｍ酢酸アンモニウム水溶液を抽剤として用いて抽出処理を行い、得られた抽出液のカリウムイオン濃度を、ＩＣＰを用いて測定する。）により得られた値に換算する換算式が、予め演算処理部に内蔵されている場合は、カリウムイオン計１の校正時に抽出率を用いて表示部３１の表示値を補正しなくてよい。すなわち、この場合は、図４のフローチャートにおけるステップＳ２５は不要である。
【００４２】
更に、本発明で用いるカリウムイオン選択性電極は、液膜型のものに限定されず、ＩＳＦＥＴ電極等の異なるタイプの感応膜を有する電極を用いてもよい。また、本発明で用いるカリウムイオン選択性電極は、比較電極と一体となった複合型のものに限定されず、比較電極と別体となっているものであってもよい。
【００４３】
なお、本発明は前記実施形態に限られるものではなく、前述した実施形態や変形実施形態の一部又は全部を適宜組み合わせてもよく、その趣旨を逸脱しない範囲で種々の変形が可能である。
【実施例】
【００４４】
以下に実施例を掲げて本発明を更に詳細に説明するが、本発明はこれら実施例のみに限定されるものではない。
【００４５】
＜１＞イオン電極法を用いた土壌中の交換性カリウム量の測定
下記表１に示す５種類の土壌を風乾し、乳鉢ですりつぶし、ふるいにかけて、粒子径が０．６ｍｍ以下である風乾細土を得た。得られた各風乾細土４ｇに対して、表２に示す各濃度の酢酸アンモニウム水溶液８０ｍＬをそれぞれ加え、これらを振盪瓶に入れ、振盪器で１時間振盪した後、Ｎｏ．５Ａの濾紙で濾過した。
【００４６】
得られた抽出液を試料として用い、カリウムイオン計（堀場製作所製コンパクトカリウムイオンメータＢ−７３１）を用いてカリウムイオン濃度を測定した。測定結果を表２に示す。なお、各試料を測定する度に、その都度、各試料と導電率が等しい標準液（１５０ｐｐｍ、２０００ｐｐｍ）でカリウムイオン計を校正し直した。
【００４７】
【表１】
2014169901.tif 000003
【００４８】
【表２】
2014169901.tif 000004
【００４９】
＜２＞ＩＣＰを用いた土壌中の交換性カリウム量の測定
＜１＞と同様にして、各土壌中から交換性カリウムイオンを抽出し、ＩＣＰを用いて各試料のカリウムイオン濃度を測定した。測定結果を表３に示す。なお、表３中に記載の％値は、１Ｍ酢酸アンモニウム水溶液を用いて抽出処理を行ったときの測定結果に対する割合（抽出率）を表す。
【００５０】
【表３】
2014169901.tif 000005
【００５１】
＜３＞結果
０．００５Ｍ又は０．０１Ｍの酢酸アンモニウム水溶液を用いて抽出処理を行ったときのＩＣＰによる測定値とイオン電極法による測定値とを比較したグラフを、図５及び図６に示す。
【００５２】
また、１Ｍ酢酸アンモニウム水溶液を用いて抽出処理を行ったときのＩＣＰによる測定値と、０．００５Ｍ又は０．０１Ｍの酢酸アンモニウム水溶液を用いて抽出処理を行ったときのイオン電極法による測定値とを比較したグラフを、図７及び図８に示す。
【００５３】
なお、図５〜８のグラフ中には２つの近似式が記載されているが、上の式が（０，０）を通るという条件の下で求めた式であり、下の式が５点の測定値のみから求めた式である。
【００５４】
更に、１〜０．００５Ｍの各濃度の酢酸アンモニウム水溶液を用いて抽出処理を行ったときのイオン電極法による測定値を、１Ｍ酢酸アンモニウム水溶液で抽出処理を行ったときのＩＣＰによる測定値に対する割合（表中の％値）を下記表４に示す。
【００５５】
【表４】
2014169901.tif 000006
【００５６】
図５及び図６のグラフから分かるように、同じ濃度の酢酸アンモニウム水溶液を用いて抽出処理を行った場合に得られた、イオン電極法による測定値とＩＣＰによる測定値とは、極めて高い相関性を示した。このことから、表３に示すＩＣＰにより求めた抽出率を、イオン電極法による測定値に適用して換算しても、ＩＣＰによる測定値と略等しい値を得られることが分かる。
【００５７】
また、図７及び図８のグラフから分かるように、ＩＣＰによる値と低濃度の酢酸アンモニウム水溶液を用いて抽出処理を行った場合にイオン電極法により得られた測定値とも極めて高い相関性を示した。このことから、図６及び７のグラフに記載した近似式を換算式として用いたり、係数を掛けたりして換算しても、イオン電極法による測定値からＩＣＰによる測定値と略等しい値を得られることが分かる。
【００５８】
これらの相関性の高さは、表４に示す結果からも明らかである。そして、抽剤の酢酸アンモニウム濃度が、０．００５〜０．０１Ｍであると、土壌に含まれる交換性カリウムの多少にかかわらず、抽出率や測定結果の再現性は非常に安定している。また、０．００５〜０．０５Ｍであると、土壌に含まれる交換性カリウム量が中程度である場合、抽出率や測定結果の再現性が非常に安定している。一方、土壌に含まれる交換性カリウムが少ない場合は、校正に用いる標準液に酢酸アンモニウムを含有させれば、より再現性よく測定することが可能である。また、抽剤の酢酸アンモニウム濃度が０．１Ｍである場合も、校正に用いる標準液に酢酸アンモニウムを含有させれば、より再現性よく測定することが可能である。
【００５９】
更に、表３に示す抽出率（平均値）をグラフ化すると、図９に示すグラフが得られるが、当該グラフから０．００３Ｍ酢酸アンモニウム水溶液を用いて抽出処理を行った場合のカリウムイオンの抽出率は６０％程度になることがわかる。このため、抽剤の酢酸アンモニウム濃度が０．００３Ｍまでは、再現性のよい測定結果が得られるが、酢酸アンモニウム濃度が０．００３Ｍより低くなると、一般的な土壌ではイオン交換が不充分でカリウムイオンの抽出率が低くなるので、測定結果のよりよい再現性が得にくくなる。すなわち、酢酸アンモニウム濃度を０．００３Ｍ以上にすることで、再現性もよい高い精度の測定を可能にしている。
【符号の説明】
【００６０】
１・・・カリウムイオン計
７１・・・カリウムイオン選択性電極
【図１】
2014169901.tif 000007
【図２】
2014169901.tif 000008
【図３】
2014169901.tif 000009
【図４】
2014169901.tif 000010
【図５】
2014169901.tif 000011
【図６】
2014169901.tif 000012
【図７】
2014169901.tif 000013
【図８】
2014169901.tif 000014
【図９】
2014169901.tif 000015